(57)【要約】【課題】チルトシャッター装置において、開閉部材の引出し及び巻取り時に加わる引きエレメント及び回転エレメントへの曲げ応力を低減させ、耐久性の向上を図る。【解決手段】引きエレメント、回転エレメントをそれぞれ形成する個々のリボンプレート（１０１）を、厚さ０．１ｍｍ〜０．２ｍｍの単品の２枚が表裏に重ね合わされて一組とされたプレート（１２）群とする。【選択図】　　　　　図１
2004019219.tif 000002
【特許請求の範囲】
【請求項１】
傾動する複数のフラップがその幅方向に連設されて形成され、収納部からの引出し及び収納部への巻取り収納が可能とされた開閉部材を備えるとともに、開閉部材の左右両端縁に沿ってその外側に配置された引きエレメントと、この引きエレメントをはさんで開閉部材と反対側に配置された回転エレメントとを備え、前記フラップの左右両端部にクランクピンの一端部が差し込まれて固定され、クランクピンの他端部は回転エレメントに回転自在に連結され、引きエレメント又は回転エレメントのいずれか一方を開閉部材の長さ方向に微小移動させる時、クランクピンが回動し、このクランクピンの回動にともなって各フラップが連動して傾動し、引きエレメント及び回転エレメントはいずれも、表裏を貫通する長穴が両端部に形成された細長のリボンプレートの複数枚がピンにより連結されて形成され、ピンが、前記長穴内をその長さ方向に移動自在とされたチルトシャッター装置において、引きエレメント、回転エレメントをそれぞれ形成する個々のリボンプレートは、厚さ０．１ｍｍ〜０．２ｍｍの単品の２枚が表裏に重ね合わされて一組とされたプレート群であることを特徴とするチルトシャッター装置。
【請求項２】
クランクピンのフラップに差し込まれ、固定される端部の断面形状が、上下及び左右いずれにも対称な半部が山形形状であるとともに、山形の稜線部が凹状に湾曲し、頂部が凸状に湾曲している請求項１記載のチルトシャッター装置。
【発明の詳細な説明】
【０００１】
【発明の属する技術分野】
この出願の発明は、チルトシャッター装置に関するものである。さらに詳しくは、この出願の発明は、開閉部材の引出し及び巻取り時に加わる引きエレメント及び回転エレメントへの曲げ応力を低減させることができ、耐久性の向上したチルトシャッター装置に関するものである。
【０００２】
【従来の技術】
車庫などの出入口や窓などを開閉する開閉装置には、多種多様のものが提案され、提供されている。この出願人もこれまでに旋回シャッター羽開口部装置と称するチルトシャッター装置を提案している（特開平１１−２８０３５５号公報）。
【０００３】
このチルトシャッター装置は、図３に例示したように、
（ａ）各フラップ（１）が閉じた状態において開閉部材（２）が、収納部（３）から手動又は自動により図中に示した矢印方向に引き出され、この例では開閉部材（２）は鉛直下方に移動し、
（ｂ）図１（ａ）に示した開口部（４）を完全に遮蔽する。
（ｃ）この開閉部材（２）による開口部（４）の完全遮蔽状態においても、採光、風通しなどが必要とされる時、各フラップ（１）を連動させて図中に示した矢印方向、すなわち、たとえば上方、へと傾動させることができる。このため、開口部（４）は、開閉部材（２）により遮蔽されていながらも部分的に開放され、光、風などが開口部（４）を通じて室内などに取り込まれる。
（ｄ）開口部（４）を開放する際には、各フラップ（１）を開口部（４）を閉鎖する方向、すなわち、下方、に移動させ、一旦完全遮蔽状態とした後、開閉部材（２）を収納部（３）に巻き取り、この例では鉛直上方に移動させて収納する。というように動作することができる。このように、先に提案したチルトシャッター装置では、完全遮蔽時に部分的な開放が可能となっている。
【０００４】
このチルトシャッター装置には、図４及び図５に示した要部平面図に例示した構成を採用することができる。
【０００５】
すなわち、開閉部材（２）は、前述のとおり、傾動する複数のフラップ（１）がその幅（ｗ）方向に連設されて形成されている。この開閉部材（２）は、図３に示したように、収納部（３）からの引出し及び収納部（３）への巻取り収納が可能とされている。また、チルトシャッター装置では、開閉部材（２）の左右両端縁に沿ってその外側に引きエレメント（５）が配置され、この引きエレメント（５）をはさんで開閉部材（２）と反対側に回転エレメント（６）が配置されている。また、前記フラップ（１）の左右両端部にクランクピン（７）の一端部が差し込まれて固定され、他端部は回転エレメント（６）に回転自在に連結されている。このため、引きエレメント（５）又は回転エレメント（６）のいずれか一方を開閉部材（２）の長さ方向に微小移動させる時、クランクピン（７）が回動し、このクランクピン（７）の回動にともなって、図３（ｃ）に示したように、各フラップ（１）が連動して傾動する。具体的には、引きエレメント（５）が微小移動可能な場合を例として説明すると、図５に示したように、収納部（３）側の適宜な部材に一端が固定されたコイルバネなどの弾性手段（８）の他端が、最も収納部（３）側において回転エレメント（６）に固定される。図３（ｂ）に示した開閉部材（２）の完全遮蔽時に回転エレメント（６）は仮固定状態にあり、移動不能となっている。この状態において、引きエレメント（５）を図４及び図５に示した状態において上方へ微小移動させると、回転エレメント（６）は移動せず、クランクピン（７）が回動して各フラップ（１）が連動して傾動する。
【０００６】
以上の引きエレメント（５）及び回転エレメント（６）はいずれも、表裏を貫通する長穴（９）が両端部に形成された細長のリボンプレート（１０）の複数枚がピン（１１）により連結されて形成されている。弾性手段（８）は、主として傾動したフラップ（１）を確実に元の位置に戻すための引張手段として機能する（フラップ（１）の自重のみでは元の位置に戻りにくい）。また、リボンプレート（１０）の両端部に形成された長穴（９）は、図４及び図５に示したように、各フラップ（１）を互いに上下の端部において重なり合わせるための機能を有する。このようにフラップ（１）を重ね合わせるのは、開閉部材（２）が完全遮蔽された時の風圧対策のためである。
【０００７】
【発明が解決しようとする課題】
しかしながら、このようなチルトシャッター装置には、性能の向上に向けて子細ではあるが、実用上重要な改善すべき点が幾つかある。その一つに、引きエレメント（５）及び回転エレメント（６）を形成するリボンプレート（１０）の屈曲耐久性を向上させ、開閉部材（２）の開閉及び各フラップ（１）の傾動の動作安定性をより確かなものとすることが挙げられる。
【０００８】
リボンプレート（１０）には、開閉部材（２）の引出し及び巻取り収納を可能にするための引張強度及び曲げ強度が要求される。このため、一般に、ステンレスなどの素材から形成される厚さ０．４ｍｍ程度の金属製薄板が用いられているが、開閉部材（２）の開閉及び各フラップ（１）の傾動の動作安定性をより確かなものとするためには、所要の引張強度を保持しつつ、屈曲耐久性を高めることが必要である。
【０００９】
この出願の発明は、以上の通りの事情に鑑みてなされたものであり、開閉部材の引出し及び巻取り時に加わる引きエレメント及び回転エレメントへの曲げ応力を低減させることができ、耐久性の向上したチルトシャッター装置を提供することを解決すべき課題としている。
【００１０】
【課題を解決するための手段】
この出願の発明は、前述の課題を解決するものとして、傾動する複数のフラップがその幅方向に連設されて形成され、収納部からの引出し及び収納部への巻取り収納が可能とされた開閉部材を備えるとともに、開閉部材の左右両端縁に沿ってその外側に配置された引きエレメントと、この引きエレメントをはさんで開閉部材と反対側に配置された回転エレメントとを備え、前記フラップの左右両端部にクランクピンの一端部が差し込まれて固定され、クランクピンの他端部は回転エレメントに回転自在に連結され、引きエレメント又は回転エレメントのいずれか一方を開閉部材の長さ方向に微小移動させる時、クランクピンが回動し、このクランクピンの回動にともなって各フラップが連動して傾動し、引きエレメント及び回転エレメントはいずれも、表裏を貫通する長穴が両端部に形成された細長のリボンプレートの複数枚がピンにより連結されて形成され、ピンが、前記長穴内をその長さ方向に移動自在とされたチルトシャッター装置において、引きエレメント、回転エレメントをそれぞれ形成する個々のリボンプレートは、厚さ０．１ｍｍ〜０．２ｍｍの単品の２枚が表裏に重ね合わされて一組とされたプレート群であることを特徴とするチルトシャッター装置（請求項１）を提供する。
【００１１】
またこの出願の発明は、クランクピンのフラップに差し込まれ、固定される端部の断面形状が、上下及び左右いずれにも対称な半部が山形形状であるとともに、山形の稜線部が凹状に湾曲し、頂部が凸状に湾曲していること（請求項２）を一態様として提供する。
【００１２】
以下、図面に沿ってこの出願の発明のチルトシャッター装置についてさらに詳しく説明する。
【００１３】
【発明の実施の形態】
図１は、この出願の発明のチルトシャッター装置の概要を示した要部断面図である。
【００１４】
この出願の発明のチルトシャッター装置は、その主要な構成は、図４及び図５に示した、すでに提案している旋回シャッター羽開口部装置と称するチルトシャッター装置（特開平１１−２８０３５５号公報）を前提としている。
【００１５】
すなわち、この出願の発明のチルトシャッター装置は、傾動する複数のフラップ（１）がその幅（ｗ）方向に連設されて形成され、収納部（３）からの引出し及び収納部への巻取り収納が可能とされた開閉部材（２）を備えるとともに、開閉部材（２）の左右両端縁に沿ってその外側に配置された引きエレメント（５）と、この引きエレメント（５）をはさんで開閉部材（２）と反対側に配置された回転エレメント（６）とを備えている。また、フラップ（１）の左右両端部は、クランクピン（７）の一端部が差し込まれて固定され、クランクピン（７）の他端部は回転エレメント（６）に回転自在に連結され、引きエレメント（５）又は回転エレメント（６）のいずれか一方を開閉部材（２）の長さ方向に微小移動させる時、クランクピン（７）が回動し、このクランクピン（７）の回動にともなって各フラップ（１）が連動して傾動する。以上の引きエレメント（５）及び回転エレメント（６）はいずれも、表裏を貫通する長穴（９）が両端部に形成された細長のリボンプレート（１０）の複数枚がピン（１１）により連結されて形成され、ピン（１１）は、長穴（９）内をその長さ方向に移動自在とされている。
【００１６】
そして、この出願の発明のチルトシャッター装置では、図１に示したように、引きエレメント（５）、回転エレメント（６）をそれぞれ形成する個々のリボンプレート（１０１）は、厚さ０．１ｍｍ〜０．２ｍｍの単品の２枚が表裏に重ね合わされて一組とされたプレート群（１２）とされている。
【００１７】
つまり、この出願の発明のチルトシャッター装置では、厚さから理解されるように、１枚のリボンプレート（１０１）の厚さ（ｔ）は、これまでのチルトシャッター装置に採用されていたリボンプレート（１０）の１／２とされている一方、プレート群（１２）を形成し、各プレート群（１２）におけるリボンプレート（１０１）の枚数は２枚であり、しかも、上記のとおりの厚さ（ｔ）が半分の単品の２枚が、表裏に重ね合わされて一組とされている。
【００１８】
このため、この出願の発明のチルトシャッター装置では、引きエレメント（５）及び回転エレメント（６）は、これまでのチルトシャッター装置における所要の引張強度は変わらずに維持することができ、また、プレート群（１２）における有効断面積、すなわち、厚さ（ｔ）の２枚のリボンプレート（１０１）の合計断面積が、これまでのチルトシャッター装置におけるリボンプレート（１０）の断面積と同一となっている。一方、この出願の発明のチルトシャッター装置では、これまでのチルトシャッター装置におけるリボンプレート（１０）よりリボンプレート（１０１）は薄いため、同一の曲率半径において１枚のリボンプレート（１０１）に加わる曲げ応力は低減されることとなる。
【００１９】
したがって、このようなリボンプレート（１０１）を２枚、表裏に重ね合わせ、一組とし、プレート群（１２）としたこの出願の発明のチルトシャッター装置は、これまでのチルトシャッター装置と比較すると、開閉部材（２）の引出し及び巻取りに対する耐久性が向上する。開閉部材（２）の開閉及び各フラップ（１）の傾動の動作安定性がより確かとなる。これに加え、プレート群（１２）の屈曲に要する変形抵抗が小さくなり、開閉部材（２）の引出し及び巻取りが円滑にもなる。
【００２０】
なお、この出願の発明のチルトシャッター装置では、図２に示したように、クランクピン（７）の、図５に示したフラップ（１）に差し込まれ、固定される端部（７１）の断面形状を特殊な形状とすることができる。この図２に示したように、この出願の発明のチルトシャッター装置では、クランクピン（７）に、端部（７１）が以下のとおりの形状を有するものを好ましく採用することができる。
【００２１】
すなわち、端部（７１）の断面形状は、上下及び左右いずれにも対称であり、半部が山形形状である。この山形の稜線部（１３）が凹状に湾曲し、頂部（１４）が凸状に湾曲している。このような断面形状の端部（７１）を有するクランクピン（７）は、各フラップ（１）に伝達する力を増大させることができ、フラップ（１）の前述のとおりの傾動をより確実とすることができる。フラップ（１）において、クランクピン（７）の端部（７１）が差し込まれ、固定される端部は、通常、価格、重量などを考慮して樹脂製とされることがしばしばである。一方、クランクピン（７）は鋼製であり、その回動力がフラップ（１）の端部に伝達される力の大きさは、フラップ（１）の端部を形成する樹脂の耐圧縮変形抵抗に大きく依存する。したがって、伝達力を大きくするためには、樹脂の圧縮変形が起こりにくい構造とすることが望ましい。上記断面形状の端部（７１）を有するクランクピン（７）は、その回動によるフラップ（１）の端部への伝達力を十分大きくすることができる。
【００２２】
もちろん、この出願の発明は、以上の実施形態によって限定されるものではない。フラップをはじめ、引きエレメント、回転エレメントなどの細部の構成及び構造については様々な態様が可能であることはいうまでもない。
【００２３】
【発明の効果】
以上詳しく説明した通り、この出願の発明によって、開閉部材の引出し及び巻取り時に加わる引きエレメント及び回転エレメントへの曲げ応力が低減され、引出し及び巻取りに対する耐久性が向上し、開閉部材の開閉及び各フラップの傾動の動作安定性がより確かとなる。また、開閉部材の引出し及び巻取りが円滑にもなる。
【図面の簡単な説明】
【図１】この出願の発明のチルトシャッター装置の概要を示した要部断面図である。
【図２】この出願の発明のチルトシャッター装置に採用することのできるクランクピンと、フラップに差し込まれ、固定される端部の断面形状の一形態を示した側面図及び要部拡大断面図である。
【図３】（ａ）（ｂ）（ｃ）（ｄ）は、それぞれ、この出願の出願人により先に提案されたチルトシャッター装置の動作の概要を示した斜視図である。
【図４】この出願の出願人により先に提案されたチルトシャッター装置に採用することのできる構成を示した要部平面図である。
【図５】この出願の出願人により先に提案されたチルトシャッター装置に採用することのできる構成を示した要部平面図である。
【符号の説明】
１　　フラップ
２　　開閉部材
３　　収納部
４　　開口部
５　　引きエレメント
６　　回転エレメント
７　　クランクピン
７１　　端部
８　　弾性手段
９　　長穴
１０　　リボンプレート
１０１　　リボンプレート
１１　　ピン
１２　　プレート群
１３　　稜線部
１４　　頂部
【図１】
2004019219.tif 000003
【図２】
2004019219.tif 000004
【図３】
2004019219.tif 000005
【図４】
2004019219.tif 000006
【図５】
2004019219.tif 000007